(57)【要約】【課題】筐体の構造変更をすることなく複数のバッテリを適用可能とする電気掃除機を提供すること。【解決手段】電動送風機およびこの電動送風機を収容する筐体を有する掃除機本体と、前記筐体の前部に接続される吸引ホースとを備え、  前記筐体の後部に前記電動送風機に電力を供給するバッテリが着脱可能に取り付けられるバッテリホルダが設けられていることを特徴とする電気掃除機。【選択図】図４
2015096132.tif 000002
【特許請求の範囲】
【請求項１】
電動送風機およびこの電動送風機を収容する筐体を有する掃除機本体と、前記筐体の前部に接続される吸引ホースとを備え、
前記筐体の後部に前記電動送風機に電力を供給するバッテリが着脱可能に取り付けられるバッテリホルダが設けられていることを特徴とする電気掃除機。
【請求項２】
前記筐体は後方および上方に開口するバッテリホルダ取付け用凹部を前記後部に有し、
前記バッテリホルダは前記バッテリホルダ取付け用凹部の奥部および左右側部に対向する前壁および左右側壁を有している請求項１に記載の電気掃除機。
【請求項３】
前記バッテリは左右側面に凸部をそれぞれ有し、
前記バッテリホルダは、前記バッテリの各凸部を上下スライド可能に嵌め入れる上下方向のガイド溝部を前記左右側壁に有している請求項２に記載の電気掃除機。
【請求項４】
前記バッテリは前面に係止凹部を有し、
前記筐体のバッテリホルダ取付け用凹部には前記バッテリの係止凹部に係脱可能に係止する係止爪を含む係止機構が設けられており、
前記バッテリホルダは前記係止爪を挿通させる開口部を有している請求項２または３に記載の電気掃除機。
【請求項５】
前記筐体のバッテリホルダ取付け用凹部にはボス部が設けられ、
前記バッテリホルダの前壁には前記ボス部に螺着させるネジを挿通させる挿通孔が形成されている請求項２〜４のいずれか１つに記載の電気掃除機。
【発明の詳細な説明】
【技術分野】
【０００１】
本発明は電気掃除機に関する。
【背景技術】
【０００２】
電気掃除機としては、掃除機本体内にコードリールを内蔵するものが一般的であるが、掃除機本体にバッテリが着脱可能に取り付けられるものも提案されている。
これに関し、特許文献１には、集塵室を内蔵した下ケースと電動送風機を内蔵した上ケースとがクランプにて係脱可能に接続されてなる掃除機本体と、掃除機本体に接続された集塵用ホースと、上ケースのバッテリ収納室内に着脱可能に収納されるバッテリパックとを備え、バッテリ収納室内のバッテリパックを上方へ引き出して容易にバッテリ交換を行うことができる電気掃除機が記載されている。
【０００３】
特許文献１の電気掃除機において、バッテリ収納室内の底面には、電動送風機と電気的に接続された本体側の第１および第２コンタクトが設けられている。一方、バッテリパックの下面にもバッテリ側の第１および第２コンタクトが設けられており、バッテリパックをバッテリ収納室内に収納することにより第１コンタクト同士が電気的に接続しかつ第２コンタクト同士が電気的に接続する。
【先行技術文献】
【特許文献】
【０００４】
【特許文献１】特開２００３−２３５７７２号公報
【発明の概要】
【発明が解決しようとする課題】
【０００５】
特許文献１の電気掃除機は、本体側の第１および第２コンタクトがバッテリ収納室内の底面の所定位置に固定された構造を有している。そのため、仕様が異なる別のバッテリをバッテリ収納室に適用しようとする場合、そのバッテリの形状およびサイズやバッテリ側の第１および第２コンタクトの位置に適合するようバッテリ収納室の構造を変更する必要がある。そうすると、バッテリ収納室を構成する上ケース（筐体）を新たに製作し直す必要があり、電気掃除機の製造コストが増加してしまう。
【０００６】
本発明は、このような課題に鑑みなされたものであり、筐体の構造変更をすることなく複数種類のバッテリを適用可能とする電気掃除機を提供することを目的とする。
【課題を解決するための手段】
【０００７】
かくして、本発明によれば、電動送風機およびこの電動送風機を収容する筐体を有する掃除機本体と、前記筐体の前部に接続される吸引ホースとを備え、
前記筐体の後部に前記電動送風機に電力を供給するバッテリが着脱可能に取り付けられるバッテリホルダが設けられている電気掃除機が提供される。
【発明の効果】
【０００８】
本発明の電気掃除機によれば、筐体とバッテリホルダとを個別に作製することができる。そのため、バッテリホルダを使用するバッテリの仕様（例えば、バッテリの左右幅、正負電極端子の位置等）に応じたものとすることにより、仕様が異なる別のバッテリを用いる場合はそのバッテリの仕様に応じたバッテリホルダを作製することにより、比較的大きな部品としての筐体の構造変更を回避することができる。この結果、製造コストの上昇を抑えながら仕様が異なる複数種類のバッテリに対応可能な電気掃除機を提供することができる。
また、比較的大きな部品としての筐体は寸法精度を上げることが難しく、バッテリの取付け強度を確保するためには厳密な製造条件を満たす課題があるが、バッテリホルダを設けることによりこの課題を解消することができる。
【図面の簡単な説明】
【０００９】
【図１】この発明の実施形態１に係る電気掃除機の外観斜視図である。
【図２】実施形態１の電気掃除機における掃除機本体の正面図である。
【図３】実施形態１における掃除機本体の斜視図である。
【図４】実施形態１における掃除機本体からバッテリを取り外した状態を示す斜視図である。
【図５】実施形態１における掃除機本体の側断面図である。
【図６】実施形態１における掃除機本体の後部に設けられたバッテリホルダの斜視図である。
【図７】実施形態１の掃除機本体に備えられる集塵ユニットの外観斜視図である。
【図８】図７に示す集塵ユニットの縦断面図である。
【図９】実施形態１の掃除機本体における空気流の流路を示す説明図である。
【図１０】実施形態２の電気掃除機における掃除機本体の斜視図である。
【図１１】実施形態２の電気掃除機のバッテリを取り外したときの収納状態を示す斜視図である。
【図１２】実施形態３の電気掃除機における掃除機本体の斜視図である。
【発明を実施するための形態】
【００１０】
以下、図面を用いてこの発明をさらに詳述する。なお、以下の説明は、すべての点で例示であって、この発明を限定するものと解されるべきではない。
【００１１】
（実施形態１）
【００１２】
図１はこの発明の実施形態１に係る電気掃除機の外観斜視図であり、図２は実施形態１の電気掃除機における掃除機本体の正面図であり、図３は実施形態１における掃除機本体の斜視図である。また、図４は実施形態１における掃除機本体からバッテリを取り外した状態を示す斜視図であり、図５は実施形態１における掃除機本体の側断面図であり、図６は実施形態１における掃除機本体の後部に設けられたバッテリホルダの斜視図である。
【００１３】
これらの図に示すように、電気掃除機１は、電動送風機１０６、集塵ユニット５００およびこれらを収容する筐体１０１を有する掃除機本体１００Ａと、吸引ホース３００と、電動送風機１０６を駆動するバッテリＢとを備える。
【００１４】
〔吸引ホース〕
吸引ホース３００は、吸引ホース３０１と、延長パイプ３０２と、延長パイプ３０２の先端に接続される吸込口体３０３と、手元ハンドル３０４と、手元ハンドル３０４に付設された操作部３０５と、接続部３０６を備える。
【００１５】
吸引ホース３０１は接続部３０６を介して掃除機本体１００Ａの前方に離脱可能に接続され、ユーザーは手元ハンドル３０４を手で保持しながら延長パイプ３０２の先端の吸込口体３０３を床面Ｇに接触させながら移動させることができる。
吸込口体３０３は、底面に吸込口を有すると共に、吸込口に回転ブラシを有している。なお、吸込口体３０３内にブラシ駆動モータを設けて回転ブラシを回転させるようにしてもよく、この場合、バッテリＢはブラシ駆動モータにも電力を供給する。
【００１６】
また、吸込口体３０３は、延長パイプ３０２との接続管部３０３ａにフック部材３０３ａ1が設けられている。このフック部材３０１ａ1は、例えば、掃除機本体１００Ａの接続部３０６の外面に設けられたフック受け部材１１１と係合する部品である。バッテリＢが装着された掃除機本体１００Ａのフック受け部材１１１に、吸引ホース３００のフック部材３０３ａ1を係合することにより、吸引ホース３００を掃除機本体１００Ａに立てかけた状態で支持することができる。
【００１７】
なお、掃除機本体１００ＡからバッテリＢが取り外された状態では、掃除機本体１００Ａの重心が前方へ移動している。そのため、掃除機本体１００Ａの前部に配置されたフック受け部材１１１に吸引ホース３００のフック部材３０３ａ1を係合して吸引ホース３００を立てかけようとすると倒れてしまい、それによってフック受け部材１１１およびフック部材３０３ａ1が破損したり、掃除機本体１００Ａおよび操作部３０５等が故障してしまうおそれがある。しかしながら、この不具合は後述の実施形態２にて解決される。
【００１８】
〔掃除機本体〕
掃除機本体１００Ａは、複数の部材からなる前記筐体１０１を備えると共に、吸引ホース３０１が接続され旋回気流によって集塵する前記集塵ユニット５００と、集塵ユニット５００の前方に配置され吸引ホース３０１から集塵ユニット５００を介して空気を吸引する前記電動送風機１０６と、電動送風機１０６へ電力を供給するための前記バッテリＢと、電動送風機１０６と電気的に接続された回路基板Ｋ1、Ｋ2とを筐体１０１の内部に備える。
【００１９】
さらに、掃除機本体１００Ａは、前記筐体１０１の左右両側面に配置された一対の大型リング状の車輪１４０と、筐体１０１の前方下部に配置された小型ローラ形の前輪１１７と、筐体１０１の後方下部に配置された後輪としての回転・旋回自在なキャスターである自在車輪１１８とを有する。
【００２０】
自在車輪１１８は、車輪１１８ａと、車輪１１８ａを回転自在に保持する円盤形状の自在フレーム１１８ｂとを有し、筐体１０１の底壁に旋回自在に取り付けられている。なお、底壁には、自在車輪１１８の自在フレーム１１８ｂをボルト・ナット結合にて旋回自在に取り付けるための中心孔を有する円形凹部が形成されている。
【００２１】
この電気掃除機１において、使用者が手元ハンドル３０４を手で保持して移動するとき、掃除機本体１００Ａはその動作に追随することができる。なお、掃除機本体１００Ａが床面Ｇ上を走行可能に接地した状態において、前方とは掃除機本体１００Ａを前進させる方向であり、後方とは掃除機本体１００Ａを後退させる方向であり、上方とは床面Ｇと反対側の方向であり、下方とは床面Ｇ側の方向であり、左右方向とは前後方向に対して両側へ直交する方向である。
【００２２】
また、掃除機本体１００Ａは、図５に示す自由状態において一対の車輪１４０および後輪１１８によって支持され、図９の示す吸引ホース３０１にて前方へ引かれた状態において一対の車輪１４０および前輪１１７によって支持される。すなわち、自由状態では前輪１１７は床面Ｇから浮き上がり、図９に示す状態のときに自在車輪１１８は床面Ｇから浮き上がる。すなわち、このような状態となるように、掃除機本体１００Ａの重心位置が設定されている。このようにすれば、掃除機本体１００Ａの前方側の浮き上がりを抑えながら段差乗り越え性能を高めることができる。
【００２３】
また、図２と図９に示すように、掃除機本体１００Ａの前面側には、吸引ホース３００の接続部３０６を挿入させて横中継ダクト１０４ａとパッキン（図示省略）を介して接続させるための開口部１０７ａと、接続部３０６の端子（図示省略）を掃除機本体１００Ａと接続するターミナル部１０７ｂとが設けられている。なお、掃除機本体１００Ａの回路基板Ｋ1、Ｋ2と吸引ホース３００の操作部３０５（図１参照）とは、吸引ホース３００の接続部３０６の前記端子およびターミナル部１０７ｂを介した配線で接続される。
【００２４】
掃除機本体１００Ａは、床面Ｇの塵挨を空気と共に吸込口体３０３から延長パイプ３０２と吸引ホース３０１を介して集塵ユニット５００へ吸引するようになっている。集塵ユニット５００の左右両側に前記は一対の車輪１４０のリング状車輪本体１１０が配されている。ユーザーは掃除機本体１００Ａ内部の集塵ユニット５００の集塵状況をリング状車輪本体１１０の中央開口１４１から目で確認し、適宜、集塵ユニット５００を掃除機本体１００Ａの上部から引出して集塵ユニット５００に集められた塵挨を廃棄することができる。
【００２５】
また、掃除機本体１００Ａは、筐体１０１の前方上部に手提げハンドル１１５を備えるので、ユーザーは手提げハンドル１１５を把持し、掃除機本体１００Ａを持ち上げて運搬することが可能である。
【００２６】
さらに、図３〜図６に示すように、掃除機本体１００Ａの筐体１０１の後部には、バッテリＢを保持するバッテリホルダ１０９と、バッテリＢをバッテリホルダ１０９に離脱可能に固定する係止機構Ｒと、手提げハンドル１１５と協働して二点差線で示す肩掛けベルトＳを掃除機本体１００Ａに輪状に装着する引掛けピンＰとが設けられている。これにより、ユーザーは肩掛けベルトＳを肩に掛けて掃除機本体１００Ａを運びながら掃除することができる。
【００２７】
肩掛けベルトＳを一時的に使用せずに掃除する場合は、肩掛けベルトＳをつづら折り状にコンパクトに折り畳んで輪ゴムまたは紐で縛って掃除機本体１００Ａ上に乗せておけば、掃除機本体１００Ａにて肩掛けベルトを踏んだり、肩掛けベルトが家具等に引っ掛かって邪魔となったり破断してしまうようなことがない。また、肩掛けベルトの掃除機本体への取り付けが着脱式や巻取り式ではないため、十分な取付け強度を得やすいというメリットも得られる。
【００２８】
掃除機本体１００Ａの筐体１０１の後部には排気口１３３が形成されると共に、筐体１０１の内部における集塵ユニット５００の下部および後部には電動送風機１０６からの排気を排気口１３３に導く下部流路１３８および後部流路１３９が形成されている（図５および図９参照）。そして、下部流路１３８と後部流路１３９とを有する排気流路内に回路基板Ｋ1、Ｋ2が配置されている。
【００２９】
筐体１０１の後部には、後方および上方に開口するバッテリホルダ取付け用凹部１０８が設けられており、このバッテリホルダ取付け用凹部１０８に後述するバッテリホルダ１０９が嵌め込まれてネジＮにて固定されている。
【００３０】
詳しく説明すると、筐体１０１の上部におけるバッテリホルダ取付け用凹部１０８と集塵ユニット５００との間には後方および上方に開口する切欠き凹部１０５が設けられており、この切欠き凹部１０５内に左右水平方向の前記引掛けピンＰが設けられている。なお、引掛けピンＰの後方には後述する係止機構Ｒの係止解除ボタンＲａが配置されている。
【００３１】
係止機構Ｒは、前記係止解除ボタンＲａと、係止部材Ｒｂと、弾発部材Ｒｃとを有し、これらの部材はバッテリホルダ１０９および筐体１０１にて囲まれたスペース内に組み込まれている。
【００３２】
係止部材Ｒｂは、係止爪Ｒｂ1と、係止爪Ｒｂ1に連設された斜片部Ｒｂ2とを有し、斜片部Ｒｂ2は係止爪Ｒｂ1の下端から前方へ向かって上斜している。
弾発部材Ｒｃは、例えば、コイルスプリングからなり、斜片部Ｒｂ2を介して係止爪Ｒｂ1を後方へ弾発的に付勢している。
係止解除ボタンＲａは、斜片部Ｒｂ2に摺接可能な下端を有すると共に、下端と連設された外部露出状の上端を有している。
【００３３】
このように構成された係止機構Ｒによれば、係止解除ボタンＲａを押し下げることにより、係止解除ボタンＲａの下端が係止部材Ｒｂの斜片部Ｒｂ2を前方へ移動させるように摺接し、それによって係止爪Ｒｂ1が前方へ移動する。また、係止解除ボタンＲａを離せば、弾発部材Ｒｃの付勢力によって係止部材Ｒｂの斜片部Ｒｂ2および係止爪Ｒｂ1が後方へ移動すると共に、斜片部Ｒｂ2によって係止解除ボタンＲａが押し上げられる。
【００３４】
バッテリＢは、丸みを有する直方体形であり、その前面の上部には係止機構Ｒの係止爪Ｒｂ1が係脱可能に係止する前方および上方に開口する係止凹部Ｂａが設けられると共に、その左右側面には上下方向に延びる凸部Ｂｂが設けられている。なお、バッテリＢは正負極端子を有しているが、これについて詳しくは後述する。
【００３５】
バッテリホルダ１０９は、筐体１０１の前記バッテリホルダ取付け用凹部１０８の奥部、左右側部および底部に対向する前壁１０９ａ、左右側壁１０９ｂおよび底壁１０９ｃを有している。
【００３６】
前壁１０９ａには、係止機構Ｒの係止爪Ｒｂ1を挿通させる開口部１０９ａ１が上部に形成されると共に、ネジＮ（図５参照）を挿通させる４つの挿通孔１０９ａ2が左右の上部と下部に形成されている。なお、筐体１０１のバッテリホルダ取付け用凹部１０８のネジ固定位置には、４つのボス部１０１ａが設けられており、例えば、セルフタッピンネジＮを各挿通孔１０９ａ2に挿通させて各ボス部１０１ａに螺着させることができる。
【００３７】
左右側壁１０９ｂは、それらの内面に、リブによって形成された上下方向のガイド溝１０９ｂ1が形成されている。バッテリホルダ１０９へ上方からバッテリＢを装着する際、バッテリＢの左右一対の凸部Ｂｂがバッテリホルダ１０９の左右一対のガイド溝１０９ｂ１に摺接しながら嵌り込む。これにより、バッテリＢのバッテリホルダ１０９からの脱落が防止される。この際、係止機構Ｒの係止爪Ｒｂ1は上面が前方から後方に向かって下傾した斜面であるため、バッテリＢの底面が係止爪Ｒｂ1に引っ掛かることはなく、バッテリＢの前面によって係止爪Ｒｂ1は開口部１０９ａ1内に押し込まれるため、バッテリＢをバッテリホルダ１０９にスムーズに装着することができる。
【００３８】
実施形態１の場合、バッテリホルダ１０９の底壁１０９ｃは、後方開口状の切欠き１０９ｃ1を有する形状に形成されている。一方、筐体１０１のバッテリホルダ取付け用凹部１０８の底部は、バッテリホルダ１０９の底壁１０９ｃを嵌め込む凹部を有する形状に形成されており、それによってバッテリホルダ取付け用凹部１０８の底部とバッテリホルダ１０９の底壁１０９ｃとは段差のない同一面となっている。
【００３９】
本発明において、バッテリＢの正負極端子は前面、左右側壁または底面に設けられてもよく、バッテリＢの正負極端子と電気的に接続可能な掃除機本体１００Ａ側の端子はバッテリホルダ１０９の前壁１０９ａ、左右側壁１０９ｂまたは底壁１０９ｃ、あるいは筐体１０１のバッテリホルダ取付け用凹部１０８の底部に設けられてもよい。
【００４０】
例えば、図示省略するが、実施形態１では、バッテリＢの正負極端子は底面に設けられ、掃除機本体１００Ａ側の端子はバッテリホルダ取付け用凹部１０８の底部に設けられている。そのため、バッテリホルダ１０９の底壁１０９ｃには、掃除機本体１００Ａ側の端子を避ける切欠き１０９ｃ1が設けられている。この場合、掃除機本体１００Ａ側の端子は、コイルスプリングによって上下に突出・引っ込み可能な金属ピンにて構成し、この金属ピンを挿通させる孔をバッテリホルダ取付け用凹部１０８の底部に形成してもよい。なお、バッテリＢが温度検出用極端子を有する場合、掃除機本体１００Ａ側には温度検出用極端子も設けられる。
【００４１】
このバッテリホルダ１０９はバッテリＢの仕様に応じて作製されたものであるため、仕様が異なる別のバッテリを用いる場合はこのバッテリに応じたバッテリホルダを作製する必要がある。このとき、バッテリホルダ取付け用凹部１０８に入る大きさのバッテリであれば、どのような仕様のバッテリであってもそれに応じたバッテリホルダ１０９を作製することにより、筐体１０１の設計変更および作製コストの増加を回避することができる。なお、掃除機本体１００Ａ側の端子等の電極部品については、バッテリの仕様が異なっても共用可能である。
【００４２】
図５に示すように、バッテリホルダ１０９に装着されたバッテリＢは、係止爪Ｒｂ1が係止凹部Ｂａに係止して押さえ付けているため、バッテリＢを持ち上げてもバッテリホルダ１０９から取り外すことはできない。前述のように、係止解除ボタンＲａを押し下げることにより、係止爪Ｒｂ1が前方へ引っ込んで係止凹部Ｂａから外れるため、バッテリＢを持ち上げればバッテリホルダ１０９から取り外し、図示しない商用電源に接続された充電器にバッテリＢをセットして充電することができる。
【００４３】
図３に示すように、筐体１０１の後部には、例えば、運転ランプＬ1、バッテリ表示ランプＬ2、お知らせ表示ランプＬ3およびＥＣＯ表示ランプＬ4が設けられ、これらのランプは図示しないＬＥＤ基板に設けられている。
【００４４】
バッテリ表示ランプＬ2は、発光色の変わるＬＥＤを用いてバッテリＢが供給するバッテリ電圧のレベルや充電完了を表示する。一例では、満充電後バッテリ電圧が十分高いときは緑色に点灯し、使用に伴ってバッテリＢの残容量が減りバッテリ電圧が降下するにつれて表示色が緑色から黄色を経て赤色に変わり、充電が必要な時期をユーザーに知らせる。さらに充電中は赤色点滅し、充電が完了すると緑色に点灯して充電の完了をユーザーに知らせる。お知らせ表示ランプＬ3は、ユーザーへのお知らせがあるときに点灯する。お知らせ表示ランプＬ3が点灯した状態で操作部３０５（図１参照）の「切」ボタンが操作されると、回路基板Ｋ1またはＫ2に設けられた制御部は、お知らせの内容に対応した音声データを再生してユーザーに知らせる。ＥＣＯ表示ランプＬ4は、操作部３０５の「入」ボタンが操作されてエコモードで動作中に点灯する。エコモードは、掃除の場所が絨毯かフローリングかに応じて制御部が電動送風機１０６の吸込力を切換えるモードである。さらに、エコモードで動作中に吸込口体３０３が床から離れると、制御部はそれに応答して吸込口体３０３に設けられた図示しないブラシ駆動モータを停止させる。制御部は、ブラシ駆動モータの負荷によって掃除の場所を判断する。
【００４５】
〔集塵ユニット〕
図７は実施形態１の掃除機本体に備えられる集塵ユニットの外観斜視図であり、図８は図７に示す集塵ユニットの縦断面図である。
集塵ユニット５００は、カップカバーユニット５７０、フィルターユニット５５０、内筒ユニット５３０および有底円筒状のダストカップ５０１を有する。
【００４６】
ダストカップ５０１は集塵状況が外部から目視可能なように透明または半透明の樹脂で形成される。図７に示すようにダストカップ５０１の前部の周面には吸引ホース３００（図１参照）からの空気流が流入する流入口５０３が設けられる。
【００４７】
図１と図２と図５を参照すると、吸引ホース３００の接続部３０６は、円筒状のダストカップ５０１の内部円周面にその接線方向から真直ぐに空気が流入するように掃除機本体１００Ａの中心から偏って屈曲している。
【００４８】
図８を参照すると、内筒ユニット５３０は、フィルターユニット５５０を収容する上部のカップカバー５３７、下部のダスト仕切り５３５およびその間を接続する内筒５３３からなる。内筒５３３が接続されるカップカバー５３７の底部には開口が形成されている。内筒５３３の周にはスリット状の流出口５３３ｂが形成され、流出口５３３ｂにはメッシュ状のフィルター（図示省略）が配置されている。ダスト仕切５３５は内筒５３３より外径の大きいフランジ部５３５ａ、フランジ部の外周を囲む大径筒部５３５ｂおよびダストカップ５０１の底面中央部に下端が接する小径筒部５３５ｃからなる。
【００４９】
電動送風機１０６が作動すると、空気流は接続部３０６と横中継ダクト１０４ａ（図９参照）を介してダストカップ５０１に周接線方向に真直ぐに流入し、ダストカップ５０１内に高速の旋回気流を形成する。
【００５０】
これにより、空気流に含まれる塵埃が遠心分離される。集塵ユニット５００は、形成する旋回気流の中心軸が重力方向を向くように設置されているので、遠心分離された塵埃のうち、重いものは重力の作用によりフランジ部５３５ａの下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００Ａに配置されていればよい。
【００５１】
軽いものは空気流と共に流出口５３３ｂに配置されたメッシュ状フィルターで濾過される。また、微少な塵埃は流出口５３３ｂを介して内筒５３３を上昇しフィルターユニット５５０によりろ過される。フィルターユニット５５０は山部と谷部とが連続するプリーツ状フィルターから構成される。ろ過された空気流は流出ダクト５７１を介して電動送風機１０６へ吸引される。
なお、集塵ユニット５００は、塵埃を遠心分離して集塵するものであるがこれに限定するものではない。例えば、紙パックを使用して集塵するものでもよい。
【００５２】
図５と図８と図９に示すように、吸引ホース３０１からの空気流は、接続部３０６および横中継ダクト１０４ａを介して電動送風機１０６の上方を通って集塵ユニット５００へ流入する。
【００５３】
流入した空気流は集塵ユニット５００のダストカップ５０１内で旋回流となる。そして、集塵の遠心分離が行われた後、空気流は内筒５３３の内部を上昇し、フィルターユニット５５０を通過して電動送風機１０６を通り、集塵ユニット５００の下方の下部流路１３８に入る。旋回軸は鉛直方向に対して上方がやや後方へ傾いている。図９のように側面から見た場合、接続部３０６からダストカップ５０１へ流入する流路は旋回軸とほぼ直交している。
【００５４】
そして、空気流は下部流路１３８内を回路基板Ｋ1、Ｋ2を冷却しながら通過した後、空気流は後部流路１３９内に流入し排気口１３３から外部へ排出する。なお、後部流路１３９内にイオン発生器Ｉを設け、イオン発生器Ｉにて発生したイオンと共に空気流を排気口１３３から外部へ排出してもよい。
【００５５】
（実施形態２）
図１０は実施形態２の電気掃除機における掃除機本体の斜視図であり、図１１は実施形態２の電気掃除機のバッテリを取り外したときの収納状態を示す斜視図である。なお、図１０と図１１において、図１〜図９中の要素と同様の要素には同一の符号を付している。
【００５６】
実施形態１で説明したように、図１０に示すように、掃除機本体１００Ｂからバッテリが取り外された状態では、掃除機本体１００Ｂの重心が前方へ移動しているため、掃除機本体１００Ｂの接続部３０６に設けられたフック受け部材１１１（図１参照）に吸引ホース３００のフック部材３０３ａ1を係合して吸引ホース３００を立てようとすると倒れてしまう。
【００５７】
そこで、実施形態２では、バッテリが掃除機本体１００Ｂから取り外されたときのフック部材３０３ａ1と係合させる第２のフック受け部材１１１ｘを、筐体１０１の後方上面の左右中間位置に設けている。また、実施形態２の場合、実施形態１で設けられていた引掛けピンＰ（図３参照）が省略されると共に、係止機構Ｒの係止解除ボタンＲａの位置が横にずらされている。なお、係止解除ボタンＲａの位置が横にずれることにより、係止部材Ｒｂの斜片部Ｒｂ2が横向きに設計変更されるが、この場合も実施形態１と同様に、係止解除ボタンＲａを押し込むことにより係止爪Ｒｂ1を前方へ移動させ、係止解除ボタンＲａを離すと弾発部材Ｒｃにて係止爪Ｒｂ1が後方へ移動する構成とされる（図５参照）。
【００５８】
実施形態２によれば、図１１に示すように、バッテリを充電するために掃除機本体１００Ｂから取り外したときでも、第２の（後方の）フック受け部材１１１ｘにフック部材３０３ａ1を係合させるようにすれば、バランスを崩して倒れることなく吸引ホース３００を安定的に掃除機本体１００Ｂに立てかけることができる。このとき、バッテリホルダ１０９が凹んでいるため、吸込口体３０３の接続管部３０３ａが掃除機本体１００Ｂに干渉することがなく好都合である。なお、後方のフック受け部材１１１ｘの傾斜角度を垂直に近づくようにすれば、吸込口体３０３の接続管部３０３ａおよび延長パイプ３０２を垂直に近い状態に立てかけることができるため、よりコンパクトなスタンド収納状態にすることができる。
【００５９】
（実施形態３）
図１２は実施形態３の電気掃除機における掃除機本体の斜視図である。なお、図１２において、図１〜図１１中の要素と同様の要素には同一の符号を付している。
実施形態３の電気掃除機は、実施形態２の掃除機本体１００Ｂに、実施形態１における引掛けピンＰを設けたものである。
【００６０】
引掛けピンＰは、肩掛けベルト（図５参照）を装着する際に後方のフック受け部材１１１ｘが邪魔とならないよう、フック受け部材１１１ｘの前方位置に配置される。
実施形態３によれば、肩掛けベルトを使用できる利点と、後方のフック受け部材１１１ｘが使用できる利点の両方が得られる。
【００６１】
（まとめ）
本発明の電気掃除機は、電動送風機と、この電動送風機を収容する筐体と、この筐体の前部に接続される吸引ホースとを備え、
前記筐体の後部に前記電動送風機に電力を供給するバッテリが着脱可能に取り付けられるバッテリホルダが設けられている。
【００６２】
本発明の電気掃除機は、次のように構成されてもよい。
（１）前記筐体は後方および上方に開口するバッテリホルダ取付け用凹部を前記後部に有し、
前記バッテリホルダは前記バッテリホルダ取付け用凹部の奥部および左右側部に対向する前壁および左右側壁を有していてもよい。
このようにすれば、前後方向に厚いバッテリをバッテリホルダに装着した際に、バッテリの筐体後部からのはみ出し寸法（突出寸法）を小さく抑えることができ、掃除機本体をコンパクトにすることができる。
【００６３】
（２）前記バッテリは左右側面に凸部をそれぞれ有し、
前記バッテリホルダは、前記バッテリの各凸部を上下スライド可能に嵌め入れる上下方向のガイド溝を前記左右側壁に有していてもよい。
このようにすれば、バッテリをバッテリホルダに容易に装着および取り外しでき、かつバッテリをバッテリホルダに脱落させずにしっかり保持することができる。さらに、バッテリを上下にスライドして着脱を行うため、バッテリを横方向（床面と同じ方向）にスライドさせて着脱する場合に比べて、着脱するためのスライド作業エリアが不要となり狭いエリアでも作業が可能である。
【００６４】
（３）前記バッテリは前面に係止凹部を有し、
前記筐体のバッテリホルダ取付け用凹部には前記バッテリの係止凹部に係脱可能に係止する係止爪を含む係止機構が設けられており、
前記バッテリホルダは前記係止爪を挿通させる開口部を有していてもよい。
このようにすれば、電気掃除機による掃除中に掃除機本体が転倒しても不意にバッテリがバッテリホルダから脱落することを防止できる。また、係止機構を掃除機本体側に設けることで、使用する各種バッテリの構成を簡素化できる。
【００６５】
（４）前記筐体のバッテリホルダ取付け用凹部にはボス部が設けられ、
前記バッテリホルダの前壁には前記ボス部に螺着させるネジを挿通させる挿通孔が形成されていてもよい。
このようにすれば、バッテリホルダの筐体への取付け構造を簡素化できる。
【００６６】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６７】
１  電気掃除機
１００Ａ、１００Ｂ、１００Ｃ  掃除機本体
１０１  筐体
１０１ａ  ボス部
１０６  電動送風機
１０８  バッテリホルダ取付け用凹部
１０９  バッテリホルダ
１０９ａ  前壁
１０９ａ1  開口部
１０９ａ2  挿通孔
１０９ｂ  左右側壁
１０９ｂ1  ガイド溝
３００  吸引ホース
Ｂ  バッテリ
Ｂａ  係止凹部
Ｂｂ  凸部
Ｒ  係止機構
Ｒａ  係止爪
【図１】
2015096132.tif 000003
【図２】
2015096132.tif 000004
【図３】
2015096132.tif 000005
【図４】
2015096132.tif 000006
【図５】
2015096132.tif 000007
【図６】
2015096132.tif 000008
【図７】
2015096132.tif 000009
【図８】
2015096132.tif 000010
【図９】
2015096132.tif 000011
【図１０】
2015096132.tif 000012
【図１１】
2015096132.tif 000013
【図１２】
2015096132.tif 000014